(57)【要約】【課題】再生回路に色温度補正を行う仕組みを持っていない機器で再生する場合に、色温度補正を行うことができないという課題があった。【解決手段】本発明による撮像装置１００は、センサ１０等で検出した色温度情報を基に、色温度補正回路１２で色温度補正済みデータを生成する。さらに、色温度補正済みデータと色温度補正前データとの差分データを生成する。生成した色温度補正済みデータと差分データとを記録媒体８に記録することによって、色温度補正回路を持たない再生装置で再生する際にも、色温度補正のなされた再生信号を得ることができ、且つ色温度補正の回路を具備した再生装置では、記録時の色温度補正が満足できない場合は原信号を再現することができ、再生時に最適な色温度補正を施すことを可能とする。【選択図】図１
2009260520.tif 000002
【特許請求の範囲】
【請求項１】
被写体を撮像する撮像部と、
前記撮像部の出力信号から画像信号を生成する画像処理部と、
前記撮像部の出力信号から色温度情報を生成し、前記色温度情報に基づき、前記画像信号の色温度補正を行う色温度補正部と、
色温度補正前の前記画像信号と前記色温度補正部が出力した色温度補正済画像信号との差分である差分信号を算出する差分信号生成部と、
前記色温度補正済画像信号と前記差分信号とを記録媒体に記録する記録部と、
を備えた撮像装置。
【請求項２】
色温度情報を検出するセンサを備え、
前記色温度補正部は、前記センサによる色温度情報に基づき、前記画像信号の色温度補正を行う請求項１に記載の撮像装置。
【請求項３】
記録媒体の情報を読み出す読み出し部と、
記録媒体上の前記色温度補正済画像信号と前記差分信号とを基に、色温度補正前画像信号を生成する原信号生成部とを備え、
前記色温度補正部は、前記色温度補正前画像信号に対して色温度補正を行う請求項１又は請求項２に記載の撮像装置。
【請求項４】
被写体を撮像する撮像ステップと、
前記撮像ステップによる出力信号から画像信号を生成する画像処理ステップと、
前記撮像ステップによる出力信号から色温度情報を生成し、前記色温度情報に基づき、前記画像信号の色温度補正を行う色温度補正ステップと、
色温度補正前の前記画像信号と前記色温度補正ステップによる色温度補正済画像信号との差分である差分信号を算出する差分信号生成ステップと、
前記色温度補正済画像信号と前記差分信号とを記録媒体に記録する記録ステップと、
を含む撮像方法。
【発明の詳細な説明】
【技術分野】
【０００１】
本発明はデジタルカメラや、ビデオカメラと言った撮像装置に関し、特に、色温度補正を記録時に行い、且つ、再生時に原信号を再現して再補正を可能とする撮像装置に関する。
【背景技術】
【０００２】
従来、再生時の色温度補正方法は記録時には色温度補正を行わず、現信号のまま記録すると同時に、色温度補正用の情報を同時に記録しこの情報を元に、再生時に色温度補正を行うものがある（特許文献１）。
【０００３】
以下、図４、５により従来のカメラ一体型記録再生装置について説明する。
【０００４】
レンズ１、絞り２により得られる光学情報を、ＣＣＤ等の撮像素子３を用いて光電変換し、撮像素子３の出力を増幅するアンプ４で十分な信号レベルにし、増幅した信号からＲＧＢ原色信号を作るマトリクス回路５を用いてＲＧＢ原色の映像信号を得る。この信号を第一の信号とし、露光制御回路６、センサ１０、モードＳＷ１１の情報を符号化回路１８に入力し、変調回路１９を経て出力される信号を第二の信号として、この２つの信号を記録媒体８へ記録する。記録媒体８に記録された第一の信号を再生信号処理回路１４で再生し、第二の信号を復調回路２１、複合器２２で再現し、プロセス制御回路１８によってモード選択ＳＷ１６の状態に応じ、映像プロセス回路２０を制御して再生された第一の信号に対して色温度補正を行う。
【特許文献１】特開平６−６６６９号公報
【発明の開示】
【発明が解決しようとする課題】
【０００５】
しかしながら、以上に述べたカメラ一体型記録再生装置では、記録時は原信号及び、色温度補正用の情報を記録し、再生時にこの情報を元に原信号に対して色温度補正を行うものであるため、互換再生時、つまり再生回路に色温度補正を行う仕組みを持っていない機器で再生する場合に、色温度補正を行うことができないという課題があった。
【課題を解決するための手段】
【０００６】
本発明の撮像装置は、上記目的を達成するために、被写体を撮像する撮像部と、前記撮像部の出力信号から画像信号を生成する画像処理部と、前記撮像部の出力信号から色温度情報を生成し、前記色温度情報に基づき、前記画像信号の色温度補正を行う色温度補正部と、色温度補正前の前記画像信号と前記色温度補正部が出力した色温度補正済画像信号との差分を算出する差分信号生成部と、前記色温度補正済画像信号と前記差分信号生成部の出力信号とを記録媒体に記録する記録部と、を備える。
【発明の効果】
【０００７】
上記の構成により、本発明の撮像装置は、色温度補正回路を持たない再生装置で再生する際にも、色温度補正のなされた再生信号を得ることができ、且つ色温度補正の回路を具備した再生装置では、記録時の色温度補正が満足できない場合は原信号を再現することができ、再生時に最適な色温度補正を施すことを可能とする。
【発明を実施するための最良の形態】
【０００８】
以下、本発明の一実施の形態について、図面を用いて詳細に説明する。
（実施の形態１）
図１は、本発明の実施の形態１に係る撮像装置の構成を示すブロック図である。図１において、撮像装置１００は、レンズ１と、絞り２と、ＣＣＤ、ＣＭＯＳ等の撮像素子３と、撮像素子３からの出力を増幅するアンプ４と、アンプ４からの信号からＲＧＢ原色信号を作るマトリクス回路５と、原色信号から映像信号を生成するプロセス回路９と、プロセス回路９からの映像信号に対して記録に必要な処理を行い、記録媒体８に記録する記録信号処理回路７と、半導体メモリカード、ＨＤＤ等の磁気ディスク、ＤＶＤ、ＢＤ等の光ディスク等の記録媒体８と、撮像素子３への入射光量を絞り２を用いて制御する露光制御回路６と、色温度検出センサ等からなるセンサ１０と、撮影時にユーザが操作を行うモードＳＷ１１とを備える。プロセス回路９は、色温度補正を行う色温度補正回路１２を備える。
【０００９】
このように構成された撮像装置１００について、その動作を説明する。
【００１０】
記録時の動作について、図１を用いて説明する。レンズ１から入射した光を撮像素子３で光電変換し、アンプ４で増幅した後、マトリクス回路５で映像信号（ＲＧＢ、ＹＵＶ等）に変換する。このときの信号レベルを基に露光制御回路６で絞り２を制御し、撮像素子３への入射光の量を調整する。露光制御回路６で調整された入射光を基に、マトリクス回路５で生成された映像信号はセンサ１０、モードＳＷ１１の状態に応じてプロセス回路９で各種の補正を行う。プロセス回路９の最終段である色温度補正回路１２では色温度補正を行う。各種補正を施された映像信号は記録信号処理回路７で各種処理（データ量の圧縮等）が行われ、記録媒体８に第一の信号として記録される。これと同時に、色温度補正前の信号とプロセス回路の出力信号である色温度補正後の信号とから、減算器１３を用いて差分信号を生成し、記録信号処理回路７で記録に必要な各種処理を行った後、記録媒体８に第二の信号として記録される。
【００１１】
なお、本実施の形態では、センサ１０で検出した色温度情報を用いるとしたが、本発明はこれに限定されず、センサ１０を備えずに、マトリックス回路５で生成された映像信号を基に色温度情報を検出し、この色温度情報を用いて、色温度補正回路１２で色温度補正を行うとしても良い。
【００１２】
撮像装置１００により記録された記録媒体８を、色温度補正回路を持たない再生装置２００を用いて再生する際の動作について、図２を用いて説明する。記録媒体８に記録された第一の信号（色温度補正済みデータ）を再生信号処理回路１４によって映像信号に戻し出力する。色温度補正済みデータを再生するために図２のような単純な構成で再生することができ、互換再生でも、色温度補正済み信号が再生可能となる。
【００１３】
次に記録媒体８を、色温度補正回路１５を備えた再生装置２１０を用いて再生する際の動作について、図３を用いて説明する。記録媒体８に記録された第一の信号（色温度補正済みデータ）及び第二の信号（差分データ）を再生信号処理回路１４によって映像信号、差分信号に戻す。これらの信号を加算器１７を用いて加算することにより、色温度補正前の映像信号を得る。この映像信号をモードＳＷ１６によって選択されたモードで色温度補正回路１５を用いて色温度補正を行い、映像信号として出力する。なお色温度補正回路１５は色温度補正回路１２を切り替えて使用してもよい。
【００１４】
このように差分データを記録することにより、色温度補正前の原信号を正確に再現することができ、再生時にユーザの好みに応じた色温度補正を行うことができる。
【００１５】
また、差分データを記録するために、色温度補正前の原信号をそのまま記録する場合と比較し、より少ないデータ量で記録することができる。
【産業上の利用可能性】
【００１６】
本発明の色温度補正後のデータ、及び色温度補正前後の信号の差分データを記録する方式を用いることにより、互換再生や、簡便な再生方法でも色温度補正後の映像信号を得ることが可能で、かつ再生回路に色温度補正回路を追加することにより誤補正のない正確な色温度補正された映像信号を再生することが可能となり、デジタルカメラ、ビデオカメラ等で有用である。
【図面の簡単な説明】
【００１７】
【図１】本発明の一実施の形態における撮像装置の構成を示すブロック図
【図２】本発明の一実施の形態における再生装置の構成を示すブロック図
【図３】本発明の他の実施の形態における再生装置の構成を示すブロック図
【図４】従来の記録装置の構成を示すブロック図
【図５】従来の再生装置の構成を示すブロック図
【符号の説明】
【００１８】
１    レンズ
２    絞り
３    撮像素子
４    アンプ
５    マトリクス回路
６    露光制御回路
７    記録信号処理回路
８    記録媒体
９    プロセス回路
１０    センサ
１１    モードＳＷ
１２    色温度補正回路
１３    減算器
１４    再生信号処理回路
１５    色温度補正回路
１６    モード選択ＳＷ
１７    加算器
１８    符号化回路
１９    変調回路
２０    映像プロセス回路
２１    復調回路
２２    復号器
１００    撮像装置
【図１】
2009260520.tif 000003
【図２】
2009260520.tif 000004
【図３】
2009260520.tif 000005
【図４】
2009260520.tif 000006
【図５】
2009260520.tif 000007